(57)【要約】【課題】  クッション配置を変更するだけで、所望のソファー態様を容易に作出することができ、しかも、二人以上であっても、各人が継目のないフラットなロングクッションに身体を延伸させて快適に着座することができるユニット式マルチシェーズロングソファーを提供すること。【解決手段】  異なる形状のクッション部材を組み合わせて座部に載置することによってレイアウトの変更が可能なユニット式のソファーであって、スクエアクッション１と；ロングクッション２と；ソファーベース３と；スツールベース４とから組み立て式のユニットを構成して、このユニットには少なくとも複数のロングクッション２および複数のスツールベース４を具備したことによって、レギュラー態様またはマルチシェーズロング態様を作出することができる。【選択図】  図２
0003147976.tif 000002
【実用新案登録請求の範囲】
【請求項１】
異なる形状のクッション部材を組み合わせて座部に載置することによってレイアウトの変更が可能なユニット式のソファーであって、
一辺が辺長Ｌの正方形座部を有するスクエアクッション１と；
このスクエアクッション１の辺長Ｌと同じ長さの短辺２ａと、２倍の長さ２Ｌである長辺２ｂとからなる矩形座部を有するロングクッション２と；
前記スクエアクッション１の辺長Ｌと同じ長さの短辺３ａと、長さＬの整数倍（Ｎ＝３以上）の辺長である長辺３ｂとからなる矩形載置部を有するとともに、背凭れ部31を備えるソファーベース３と；
このソファーベース３の前方に添設可能であって、上面の載置部が前記スクエアクッション１と同形の正方形からなるスツールベース４とから組み立て式のユニットが構成されており、
このユニットには少なくとも複数のロングクッション２・２…および複数のスツールベース４・４…を具備しており、
前記ソファーベース３の上にスクエアクッション１およびロングクッション２を並べ、かつ、このロングクッション２の全面を載置することによって、レギュラー態様を作出することができる一方、
前記ソファーベース３の前方に少なくとも複数のスツールベース４・４…が配置される一方、ソファーベース３と各スツールベース４に亙る両ベースの上にそれぞれロングクッション２を載置することによって、少なくとも複数のシェーズロングを形成してなるマルチシェーズロング態様を作出することができ、
クッションレイアウトを変更可能に構成したことを特徴とするユニット式マルチシェーズロングソファー。
【請求項２】
ソファーベース３の長辺３ｂがスクエアクッション１の辺長の３倍であることを特徴とする請求項１記載のユニット式マルチシェーズロングソファー。
【請求項３】
レギュラー態様のときに、２つのスツールベース４・４を並べた上に、ロングクッション２を合致させて載置して、独立した腰掛けまたは幅広なロングスツールを構成可能であることを特徴とする請求項１または２記載のユニット式マルチシェーズロングソファー。
【請求項４】
スクエアクッション１およびロングクッション２の底面と、ソファーベース３およびスツールベース４の上面との接合面が、それぞれ高摩擦を呈して防滑作用を有することを特徴とする請求項１〜３の何れか一つに記載のユニット式マルチシェーズロングソファー。
【請求項５】
スクエアクッション１およびロングクッション２の底面と、ソファーベース３およびスツールベース４の上面との接合面が、それぞれ嵌合していることを特徴とする請求項１〜３の何れか一つに記載のユニット式マルチシェーズロングソファー。
【考案の詳細な説明】
【技術分野】
【０００１】
本考案は、ソファーの改良、更に詳しくは、クッション配置を変更するだけで、所望のソファー態様を容易に作出することができ、しかも、二人以上であっても、各人が継目のないフラットなロングクッションに身体を延伸させて快適に着座することができるユニット式マルチシェーズロングソファーに関するものである。
【背景技術】
【０００２】
周知のとおり、住居のリビングルームにはソファーが設置されていることが多く、床に直接座ることなく楽な姿勢で腰掛けることができ、柔軟なクッションの上でリラクゼーションを得ながら、ホームシアターなどを鑑賞することができる。
【０００３】
ところで、かかるソファーには種々の形態が提案されており、足を前方に伸ばした状態にして座ることができる、所謂「シェーズロングソファー」の人気が高い（例えば、特許文献１参照）。
【０００４】
しかしながら、上記した従来のシェーズロングソファーは、ふくらはぎを載せるための長尺座を、標準座（臀部を載せる部材）の下方にスライド可能に収容しており、この機構が複雑であるために、製造コストがかかってしまい、また、故障が発生するおそれもあるという問題がある。
【０００５】
また、長尺座を引き出した時に、この長尺座と標準座との境界部分において、クッションの継目による段差が不可避的に生じてしまい、快適な座り心地を得ることができないという不満もあった。
【０００６】
なお、その他の従来のシェーズロングソファーにおいては、複数人が着席できるタイプであっても、左右何れかの座席のみが長手形状になっているため、一人しか足を伸ばした状態で座ることができないという問題もあった。
【特許文献１】特開２００８−２５９７６８号公報（第３−７頁、図１−８）
【考案の開示】
【考案が解決しようとする課題】
【０００７】
本考案は、従来のソファーに上記のような不満があったことに鑑みて為されたものであり、その目的とするところは、クッション配置を変更するだけで、所望のソファー態様を容易に作出することができ、しかも、二人以上であっても、各人が継目のないフラットなロングクッションに身体を延伸させて快適に着座することができるユニット式マルチシェーズロングソファーを提供することにある。
【課題を解決するための手段】
【０００８】
本考案者が上記課題を解決するために採用した手段を添付図面を参照して説明すれば次のとおりである。
【０００９】
即ち、本考案は、異なる形状のクッション部材を組み合わせて座部に載置することによってレイアウトの変更が可能なユニット式のソファーであって、
一辺が辺長Ｌの正方形座部を有するスクエアクッション１と；
このスクエアクッション１の辺長Ｌと同じ長さの短辺２ａと、２倍の長さ２Ｌである長辺２ｂとからなる矩形座部を有するロングクッション２と；
前記スクエアクッション１の辺長Ｌと同じ長さの短辺３ａと、長さＬの整数倍（Ｎ＝３以上）の辺長である長辺３ｂとからなる矩形載置部を有するとともに、背凭れ部31を備えるソファーベース３と；
このソファーベース３の前方に添設可能であって、上面の載置部が前記スクエアクッション１と同形の正方形からなるスツールベース４とから組み立て式のユニットを構成して、
このユニットには少なくとも複数のロングクッション２・２…および複数のスツールベース４・４…を具備しており、
前記ソファーベース３の上にスクエアクッション１およびロングクッション２を並べ、かつ、このロングクッション２の全面を載置することによって、レギュラー態様を作出することができる一方、
前記ソファーベース３の前方に少なくとも複数のスツールベース４・４…が配置される一方、ソファーベース３と各スツールベース４に亙る両ベースの上にそれぞれロングクッション２を載置することによって、少なくとも複数のシェーズロングを形成してなるマルチシェーズロング態様を作出することができ、
クッションレイアウトを変更可能に構成するという技術的手段を採用したことによって、ユニット式マルチシェーズロングソファーを完成させた。
【００１０】
また、本考案は、上記課題を解決するために、必要に応じて上記手段に加え、ソファーベース３の長辺３ｂをスクエアクッション１の辺長の３倍にするという技術的手段を採用した。
【００１１】
また、本考案は、上記課題を解決するために、必要に応じて上記手段に加え、レギュラー態様のときに、２つのスツールベース４・４を並べた上に、ロングクッション２を合致させて載置して、独立した腰掛けまたは幅広なロングスツールを構成可能にするという技術的手段を採用した。
【００１２】
また、本考案は、上記課題を解決するために、必要に応じて上記手段に加え、スクエアクッション１およびロングクッション２の底面と、ソファーベース３およびスツールベース４の上面との接合面を、それぞれ高摩擦を呈して防滑作用を有するようにするという技術的手段を採用した。
【００１３】
また、本考案は、上記課題を解決するために、必要に応じて上記手段に加え、スクエアクッション１およびロングクッション２の底面と、ソファーベース３およびスツールベース４の上面との接合面を、それぞれ嵌合できるようにするという技術的手段を採用した。
【考案の効果】
【００１４】
本考案においては、一辺が辺長Ｌの正方形座部を有するスクエアクッションと；このスクエアクッションの辺長Ｌと同じ長さの短辺と、２倍の長さ２Ｌである長辺とからなる矩形座部を有するロングクッションと；前記スクエアクッションの辺長Ｌと同じ長さの短辺と、長さＬの整数倍（Ｎ＝３以上）の辺長である長辺とからなる矩形載置部を有するとともに、背凭れ部を備えるソファーベースと；このソファーベースの前方に添設可能であって、上面の載置部が前記スクエアクッションと同形の正方形からなるスツールベースとから組み立て式のユニットを構成して、このユニットには少なくとも複数のロングクッションおよび複数のスツールベースを具備したことによって、
前記ソファーベースの上にスクエアクッションおよびロングクッションを並べ、かつ、このロングクッションの全面を載置することによって、レギュラー態様を作出することができる一方、前記ソファーベースの前方に少なくとも複数のスツールベースをが配置する一方、ソファーベースと各スツールベースに亙る両ベースの上にそれぞれロングクッションを載置することによって、少なくとも複数のシェーズロングを形成してなるマルチシェーズロング態様を作出することができる。
【００１５】
したがって、本考案のソファーを使用すれば、クッション配置を変更するだけで、所望のソファー態様を容易に作出することができ、しかも、二人以上であっても、各人が継目のないフラットなロングクッションに身体を延伸させて快適に着座することができることから、ソファーとしての実用的利用価値は頗る高いものがあると云える。
【考案を実施するための最良の形態】
【００１６】
本考案の実施形態を図１から図６に基づいて説明する。図中、符号１で指示するものはスクエアクッションであり、このスクエアクッション１は、一辺が辺長Ｌの正方形座部を有する座部材である。本実施形態では、内部に収容されるクッション素材として、ウレタンフォームや低反発ウレタン、ウレタンチップなどの樹脂系緩衝材や、フェザーやコットンなどの天然緩衝材、あるいは、コイルバネや板バネなどのスプリング部材、ウェービングテープ、ウッドスプリングなどを採用することができる。
【００１７】
また、外装素材としては、天然、人工、合成のレザーや織物などを採用することができる。なお、本実施形態では、一辺の辺長Ｌを、Ｌ＝５００〜８００ｍｍ程度にすることが好適である。
【００１８】
次に、符号２で指示するものはロングクッションであり、このロングクッション２は、前記スクエアクッション１の辺長Ｌと同じ長さの短辺２ａと、２倍の長さ２Ｌである長辺２ｂとからなる矩形座部を有する。なお、クッション素材および外装素材は、前記スクエアクッション１と同等のものを採用することが好ましく、統一感を出すことができる。
【００１９】
また、符号３で指示するものはソファーベースであり、このソファーベース３は、前記スクエアクッション１の辺長Ｌと同じ長さの短辺３ａと、長さＬの整数倍（Ｎ＝３以上）の辺長である長辺３ｂとからなる矩形載置部を有するとともに、背凭れ部31を備えて構成したベース部材である。本実施形態では、ソファーベース３の長辺３ｂの長さをスクエアクッション１の辺長の３倍（Ｎ＝３）にする。
【００２０】
更にまた、符号４で指示するものはスツールベースであり、このスツールベース４は、前記ソファーベース３の前方に添設可能であって、上面の載置部が前記スクエアクッション１と同形の正方形からなるベース部材である。
【００２１】
しかして、本考案は、異なる形状のクッション部材を組み合わせて座部に載置することによってレイアウトの変更が可能である組み立てユニット式のソファーであって、このユニットには少なくとも複数のロングクッション２・２…（本実施形態では２つ）および複数のスツールベース４・４…（本実施形態では２つ）を具備している。
【００２２】
まず、本考案のソファーは、前記ソファーベース３の上にスクエアクッション１およびロングクッション２を並べ、かつ、このロングクッション２の全面を載置することによって、クッションがすべてソファーベース３の上に載置されたレギュラー態様を作出することができる（図４参照）。
【００２３】
この際、スクエアクッション１の一辺の長さがＬであるとともに、ロングクッション２の短辺２ａおよび長辺２ｂの辺長がそれぞれＬ・２Ｌであるため、ソファーベース３の載置面にこれらのクッションを整然と収めることができる。
【００２４】
更にまた、このレギュラー態様のときに、ロングクッション２と２つのスツールベース４・４が余ることがあるが、当該スツールベース４の一辺の長さがＬであるとともに、ロングクッション２の短辺２ａおよび長辺２ｂの辺長がそれぞれＬ・２Ｌであるために、２つのスツールベース４・４を並べると、ロングクッション２の形状と同一サイズになるので、これらのスツールベース４・４の上に、ロングクッション２をピッタリと合致させて載置することができ、独立した腰掛けとして使用することもできるし、ソファーベース３の前方に配設して、幅広なロングスツールとして使用することができる。
【００２５】
一方、図１に示すように、前記ソファーベース３の前方に少なくとも複数のスツールベース４・４…（本実施形態では２つ）を配置し、ソファーベース３と各スツールベース４に亙る両ベースの上にそれぞれロングクッション２を載置することによって、少なくとも複数のシェーズロングを形成してなるマルチシェーズロング態様を作出することができる（図２参照）。なお、ソファーベース３の残余載置面には、スクエアクッション１を収める。
【００２６】
本実施形態では、図３に示すように、スクエアクッション１およびスツールベース４の一辺の長さがＬであるとともに、ロングクッション２の短辺２ａおよび長辺２ｂの辺長がそれぞれＬ・２Ｌであり、しかも、ソファーベース３の長辺３ｂの長さをスクエアクッション１の辺長の３倍にしたことによって、各ベース部材のサイズに合致して整然と載置することができる。
【００２７】
なお、マルチシェーズロング態様の変形例としては、図５に示すように、スツールベース４を２つ隣りに並べて、各々ロングクッション２を載置することもできるし、図６に示すように、スツールベース４を３つ使用して、これらすべてにロングクッション２を載置することもできる。
【００２８】
本実施形態では、スクエアクッション１およびロングクッション２の底面と、ソファーベース３およびスツールベース４の上面との接合面を、それぞれ高摩擦を呈して防滑作用を有するように構成することができる。
【００２９】
あるいはまた、スクエアクッション１およびロングクッション２の底面と、ソファーベース３およびスツールベース４の上面との接合面を、それぞれ嵌合できるように構成することもできる。
【００３０】
本考案は、概ね上記のように構成されるが、本考案は図示の実施形態に限定されるものでは決してなく、「実用新案登録請求の範囲」の記載内において種々の変更が可能であって、例えば、ソファーベース３の長辺３ｂの長さは、３Ｌに限らず、４Ｌ以上にすることもでき、形状に応じて、スツールベース４およびロングクッション２を適宜配置してシェーズロングを形成することができ、本考案の技術的範囲に属する。
【図面の簡単な説明】
【００３１】
【図１】本考案の実施形態のソファーのマルチシェーズロング態様を表わす斜視図である。
【図２】本考案の実施形態のソファーのマルチシェーズロング態様を表わす斜視図である。
【図３】本考案の実施形態のソファーのマルチシェーズロング態様の構造を表わす説明上面図である。
【図４】本考案の実施形態のソファーのレギュラー態様を表わす斜視図である。
【図５】本考案の実施形態のソファーのマルチシェーズロング態様の変形例を表わす斜視図である。
【図６】本考案の実施形態のソファーのマルチシェーズロング態様の変形例を表わす斜視図である。
【符号の説明】
【００３２】
１    スクエアクッション
２    ロングクッション
２ａ  短辺
２ｂ  長辺
３    ソファーベース
３ａ  短辺
３ｂ  長辺
31    背凭れ部
４    スツールベース
【図１】
0003147976.tif 000003
【図２】
0003147976.tif 000004
【図３】
0003147976.tif 000005
【図４】
0003147976.tif 000006
【図５】
0003147976.tif 000007
【図６】
0003147976.tif 000008